(57)【特許請求の範囲】
【請求項１】
第１移動体と第２移動体との間で通信サービスを提供するワイヤレス通信システムにおいて、前記第１移動体は第１移動体ボコーダを有し、前記第２移動体は第２移動体ボコーダを有し、前記ワイヤレス通信システムはボコーダ・アクティブ動作モードとボコーダ・バイパス動作モードとを有し、ワイヤレス通信インフラストラクチャを前記ボコーダ・アクティブ動作モードから前記ボコーダ・バイパス動作モードに遷移させる方法であって：
音声チャネル内にボコーダ・バイパス成分を与える段階であって、前記ボコーダ・バイパス成分は少なくとも第１信号および符号化音声信号を含むことができ、少なくとも前記第１信号はボコーダ・タイプ情報を含む、段階；
前記音声チャネル内の前記ボコーダ・タイプ情報を検出する段階；
前記ボコーダ・タイプ情報に基づいて、前記第１移動体ボコーダおよび前記第２移動体ボコーダの整合性を判定する段階；および
前記整合性に基づいて、前記ワイヤレス通信インフラストラクチャにおいて前記ボコーダ・バイパス動作モードを開始する段階；によって構成され、
前記音声チャネル内の少なくとも前記第１信号および符号化音声信号の位置はＥ１スパンなどクリア・チャネル・スパンか、Ｔ１スパンなど非クリア・チャネル・スパンかに依存する、
ことを特徴とする方法。
【請求項２】
前記音声チャネル内で前記第１信号を与えることを中止する段階をさらに含んで構成されることを特徴とする請求項１記載の方法。
【請求項３】
前記音声チャネル内で前記第１信号を与えることを中止する前記段階は、タイマの終了時に、前記音声チャネル内で前記第１信号を与えることを中止する段階によって構成されることを特徴とする請求項２記載の方法。
【請求項４】
前記音声チャネル内で前記第１信号を与えることを中止する前記段階は、前記ボコーダ・バイパス動作モードが開始されたことを判定したときに、前記音声チャネル内で前記第１信号を与えることを中止する段階によって構成されることを特徴とする請求項２記載の方法。
【請求項５】
前記第１信号は、同期情報を含むことを特徴とする請求項１記載の方法。
【請求項６】
前記符号化音声信号は、同期情報を含むことを特徴とする請求項１記載の方法。
【請求項７】
ボコーダ・アクティブ動作モードにおいて：
第１移動体から符号化第１音声信号を受信し、前記符号化第１音声信号を復号して、復号第１音声信号を生成し、前記復号第１音声信号を第１方向にて音声チャネルに結合する段階；
第２方向にて前記音声チャネルにおいて復号第２音声信号を受信し、前記復号第２音声信号を符号化して、前記符号化第２音声信号を前記第１移動体に送信する段階；
第１ボコーダ・タイプ情報を生成し、前記第１ボコーダ・タイプ情報を前記第１方向にて前記音声チャネル内に挿入し、また第２ボコーダ・タイプ情報を生成し、前記第２ボコーダ・タイプ情報を前記第２方向にて前記音声チャネル内に挿入する段階；
前記音声チャネルにおいて前記第１ボコーダ・タイプ情報および前記第２ボコーダ・タイプ情報の双方を検出して、ボコーダ整合性を判定する段階；および
前記ボコーダ整合性を判定すると、ボコーダ・バイパス動作モードに入る段階；
ボコーダ・バイパス動作モードにおいて：
前記第１移動体から前記符号化第１音声信号を受信し、前記符号化第１音声信号を前記第１方向にて前記音声チャネルに結合する段階；および
前記第２方向にて前記音声チャネルにおいて符号化第２音声信号を受信し、前記符号化第２音声信号を前記第１移動体に送信する段階；
によって構成されることを特徴とする請求項１記載の方法。
【発明の詳細な説明】
【０００１】
【産業上の利用分野】
本発明は、一般に、ボコーダを含むデジタル通信システムに関し、さらに詳しくは、帯域内シグナリングを利用するボコーダ・バイパス動作の制御のための方法および装置に関する。
【０００２】
【従来の技術】
デジタル通信システム、特に、デジタル・セルラおよびパーソナル通信システム（ＰＣＳ）は、ボコーディングを含む。ボコーディングとは、送信するために音声をデジタル符号化する動作のことである。例えば、デジタル・セルラ用途では、移動体、すなわちセルラ電話と、セルラ・インフラ(cellular infrastructure)、すなわち移動体にサービスを提供する地上方式の機器は、それぞれボコーダを含む。典型的なセルラ・システムでは、ボコーディングは送信すべき音声情報の大幅な圧縮を可能にし、セルラ・システムの容量を増加するために特に有用である。
【０００３】
移動体から移動体への通話では、セルラ・インフラにおいてボコーダ動作をバイパスするための方式がなければ、二段音声符号化／復号（すなわち、「タンデム・ボコーディング(tandem vocoding)」が設けられる。これについては以下で説明する。移動体から移動体への通話では、アップリンク上で送信する移動体は自局のボコーダを利用して、アップリンク音声を符号化する。セルラ・インフラはアップリンク音声を自動的に復号するが、これは音声を陸線電話（すなわち、公衆電話交換網），セルラ通信システムのアナログ部分、もしくは通信システムの同様な非デジタル部分に送信する場合に必要となる。しかし、デジタル機能を有する移動体に音声を送信する場合には、移動体にデジタル送信するために、音声を再符号化しなければならない。タンデム・ボコーディングでは、単一段ボコーディング（すなわち、移動体から陸線もしくは陸線から移動体への通話）に比べて、知覚音声品質の著しい低下が生じる。この音声品質劣化は、セルラ・インフラにおいて復号／符号化ステップを避けることで克服できる。バイパス動作モードでは、セルラ・インフラは送信側移動体から圧縮音声を受信し、これを復号／符号化せずに受信側移動体に直接送信する。そして受信側移動体はこの音声を通常通りに復号する。しかし、セルラ・インフラにおいてボコーダ動作をバイパスすべきである旨の何らかの指示がなければ、タンデム・ボコーディングが行われる。タンデム・ボコーディングが音声品質に及ぼす著しい影響のため、セルラ・システム・オペレータはバイパス動作モードを設けることを要求する。
符号分割多元接続（ＣＤＭＡ）システムでは、現行規格ＩＳ−６３４（ＭＳＣ  ＢＢＳＡ＋インタフェース）は、ボコーダ・バイパスの帯域外(out-of-band)制御に関する規定がある。本規格は、ボコーダ・バイパスをイネーブルもしくはディセーブルするために、移動交換局（ＭＳＣ：mobile switching center）が基地局コントローラ（ＢＳＣ：base station controller）に送信できるメッセージについて規定する。
【０００４】
この規格において定められる機構は、ボコーダ・バイパス制御全体をＭＳＣ領域下に置く。これは、完全に単一のＭＳＣ下にある呼について、バイパスを確立するための簡単な方法を可能にする。しかし、通話当事者が異なるＭＳＣ上に位置する場合、著しいメッセージングの複雑さおよびそれに起因する設定遅延が生じる。
【０００５】
ＭＳＣ間通話のバイパス設定手順を簡略化するために、帯域内ボコーダ・バイパス・シグナリングが提唱されている。しかし、これまでの帯域内シグナリング方法は、メッセージング・プロトコルの複雑さのために、帯域外方法に比べてあまり利点がない。例えば、ＧＳＭ(Global System for Mobile Communications)の「タンデム・フリー動作(Tandem Free Operation)」（すなわち、ボコーダ・バイパス）のためにＥＴＳＩによって提唱された規格は、ボコーダ・バイパス動作に対する帯域内制御方法である。この規格は、ボコーダ・バイパスの制御のために２つのＢＳＣ間で送信される帯域内シグナリング・メッセージのセットを規定する。６４ｋｂｐｓのＰＣＭ圧縮音声タイムスロットでは、ボコーダ・バイパス・シグナリング用の一つの帯域内チャネルが割当てられる。具体的には、このチャネルのために、２つの最下位ビット（ＬＳＢs：least significant bits）が割当てられる、すなわち、盗まれる(steal)。下のＬＳＢ、すなわちビット０、は８０００／１６＝５００ｂｐｓにて連続的に盗まれる。
【０００６】
別の提唱では、８キロビット／秒（ｋｂｐｓ）バーストにて盗むことを規定している。バイパス回線を確立した後、音声フレームはビット１およびビット０にて送信される。シグナリング情報は、バイパス動作中には送信されない。これは、バイパス動作を要求する初期「ＴＲＥＱ」メッセージを「ＴＡＣＫ」シグナリング・メッセージによって明示的に肯定応答(acknowledge)してからでないと、符号化音声を送信できない、すなわち、バイパス動作を実行できないことを規定する。その結果、メッセージ配列(message sequencing)を追跡するために多くのタイマおよびカウンタを有する複雑なマルチステージ・プロトコルとなる。さらに、あるＢＳＣが別のＢＳＣより先に次の状態に進むことがあるという事実に対処するために、全体的に「専用(special case)」論理が必要になる。例えば、ＴＲＥＣメッセージを送信することに関連するＢＳＣでは、これはＴＲＥＱメッセージを送信する回数を制限するためのタイマであり、タイムアウトして、ＴＡＣＫメッセージを受信することを待つタイマであり、ＴＲＥＱを受信する前に次の状態のメッセージであるＴＡＣＫの受信に対処する論理である。提唱のプロトコルにおける状態の数および複雑さは、遷移回数を比例的に長くさせる。また、この複雑さは、サブシステム動作の監視および故障解析(troubleshooting)を困難にする。
【０００７】
前述のように、提唱のプロトコルは、タンデム・ボコーディングからボコーダ・バイパス動作モードまで、かなりの遷移時間を有する。例えば、５００ｂｐｓ連続シグナリング制御チャネルを利用すると、遷移時間は、最小でも、２４０ミリ秒（ｍｓ）にもなる。ボコーダ・タイプのニゴシエーションが必要な場合、遷移時間はさらに長くなる。８ｋｂｐｓバースト・シグナリング制御チャネルを利用すると、最悪の場合の遷移時間は１．５秒台以上になる。また、ボコーダ・ニゴシエーションは、もし必要であっても、この推定遷移時間には含まれていない。
【０００８】
従って、帯域内シグナリングを利用するボコーダ・バイパスの制御のための改善された方法および装置が必要とされる。
【０００９】
【好適な実施例の説明】
本発明は、ワイヤレス通信システムにおいて帯域内シグナリングを利用するボコーダ・バイパスの制御のための方法および装置を提供する。ワイヤレス通信システムは、第１移動局と第２移動局との間で通信サービスを提供する。第１移動局および第２移動局のそれぞれは、移動体ボコーダを含む。ワイヤレス通信システムは、ボコーダ・アクティブ動作モードと、ボコーダ・バイパス動作モードとを含む。本発明は、ワイヤレス通信システムをボコーダ・アクティブ動作モードからボコーダ・バイパス動作モードに遷移させる方法を提供する。これは、圧縮音声信号内でボコーダ・タイプ成分を与えることによって達成される。ボコーダ・タイプ成分は、第１信号および符号化音声信号を含むことができる。ボコーダ・タイプ成分は、圧縮音声信号内で検出される。第１移動体ボコーダおよび第２移動体ボコーダの整合性は、少なくともボコーダ・タイプ情報に基づいて判定される。最後に、ボコーダ・バイパス動作モードは、この整合性に基づいて開始される。
【００１０】
本発明は、図１ないし図５を参照して理解を深めることができよう。図１は、好ましくは符号分割多元接続（ＣＤＭＡ）システム・プロトコル（例えば、ＩＳ−９５−Ａ）に従って動作する通信システム１００を示す。なお、通信システム１００は、ＮＡＭＰＳ(Narrowband Advanced Mobile Phone System)，ＡＭＰＳ(Advanced Mobile Phone System)，ＧＳＭ(Global System for Mobile Communications)，ＰＤＣ(Personal Digital Communications)またはＵＳＤＣ(United States Digital Cellular)プロトコルを含むがこれらに制限されない。他のアナログ，デジタルもしくはデュアル・モード通信システムに従って、代替的あるいは追加的に動作してもよい。
【００１１】
通信システム１００は、基地トランシーバ局（ＢＴＳ：base transceiver station）１０２およびＢＴＳ１０４を含み、関連カバレッジ・エリアは基地局コントローラ（ＢＳＣ：base station controller）１０６に適宜結合されている。通信システム１００は、ＢＴＳ１１０およびＢＴＳ１１２など追加の基地トランシーバ局をさらに含み、関連カバレッジ・エリアは基地局コントローラＢＳＣ１１４に適宜結合されている。各ＢＳＣ１０６およびＢＳＣ１１４のそれぞれは、当技術分野で周知なように、移動交換局（ＭＳＣ：mobile switching center）１０８に結合され、また互いに結合されている。本発明の好適な実施例では、各ＢＴＳ１０２，１０４，１１０，１１２は、モトローラＳＣ９６００基地局システムであり、ＭＳＣ１０８は、好ましくはモトローラＥＭＸ２５００  ＭＳＣであり、各ＢＳＣ１０６，１１４は、好ましくはモトローラＳＧ１１２８ＢＦ  ＣＢＳＣコンポーネントである。
【００１２】
ＢＴＳ１０２のカバレッジ・エリア内で動作する移動局（移動体）１１６は、アップリンク信号１２０で圧縮音声をＢＴＳ１０２に、ひいてはＢＳＣ１０６に送信する。呼の終端は、ＢＳＣ１１４に関連するＢＴＳ１１２のカバレッジ・エリア内で動作する移動体１１８である。移動体１１８は、ＢＴＳ１１２から圧縮音声ダウンリンク信号１２２を受信する。各移動体１１６，１１８は、好ましくは、セルラ無線電話またはパーソナル通信システム（ＰＣＳ）ハンドセットなどの移動無線電話である。ＢＳＣ１０６は、音声コーダ／デコーダ（ボコーダ）を含み、これは、ボコーダ・バイパス動作モードがない場合には、アップリンク信号１２０を処理して、通信システム１００内の要素、すなわち、ＢＳＣ１１４に対してさらに送信するために音声を解凍(decompress)／復号する。次に、ＢＳＣ１１４は解凍された音声を処理して、ダウンリンク信号１２２として送信するために音声を圧縮／符号化する。移動体１１６および移動体１１８のそれぞれが整合性のあるボコーダを有している場合、復号／符号化プロセスは不要になり、その結果、ネットワーク資源の利用は非効率的となり、音声品質の著しい劣化が生じる。
【００１３】
本発明の好適な実施例に従って、ボコーダ・バイパスのための装置および方法は、ボコーダ・バイパス動作モード、すなわち、ボコーダ・バイパス回線を確立するための帯域内シグナリングを提供する。図２を参照して、本発明の好適な実施例によるボコーダ２００を示す。ボコーダ２００の特定の要素は共通で、当技術分野において周知であり、音声デコーダ２０２，ＰＣＭ圧縮器(compressor)２０４，ＰＣＭ拡張器(expander)２０６，エコー・キャンセラ(echo canceller)２０８および音声エンコーダ２１０を含む。ボコーダ・バイパスなしの動作モードでは、これらの要素は通常の意図する方式で動作して、音声の符号化および復号を実行する。さらに具体的には、図２を続けて参照して、アップリンクすなわち逆方向では、符号化音声（ＥＣＶ）は移動体／ＢＴＳから受信され、音声デコーダ２０２によって復号される。その結果生じる線形パルス符号変調（ＰＣＭ）音声のストリームは、ＰＣＭ圧縮器２０４によって６４キロビット／秒（ｋｐｂｓ）のＰＣＭ音声に圧縮される。次に、６４ｋｂｐｓのＰＣＭ音声は、ＭＳＣもしくはネットワーク内の別のＢＳＣなどの他のシステム要素に通信される。ダウンリンク、すなわち逆方向では、６４ｋｂｐｓのＰＣＭ音声はＭＳＣまたは他のシステム要素から受信され、ＰＣＭ拡張器２０６によって線形ＰＣＭに拡張される。次に、線形ＰＣＭはエコー・キャンセラ２０８によって処理され、音声エンコーダ２１０によって符号化される。次に、符号化音声はダウンリンクＢＴＳおよび移動体に通信される。
【００１４】
前述のように、移動体から移動体への通話では、少なくとも音声品質を保持するために、復号／符号化動作をバイパスすることが望ましい。本発明の好適な実施例に従って、帯域内ボコーダ・バイパス（ＩＶＢ）シグナリングおよび制御のために、２つの双方向通信チャネルが定義される。第１は、本明細書ではＩＶＢ＿ＳＩＧチャネルといい、制御シグナリングを通信して、バイパス回線タイプ識別，ボコーダ・タイプ識別および音声フレーム・タイミング基準を与えるために用いられる。第２は、本明細書ではＩＶＢ＿ＳＰＥＥＣＨチャネルといい、ボコーダ・タイプ識別だけでなく、ボコーダ・バイパス動作モードにて符号化音声フレームを伝達するために用いられる。
【００１５】
Ｅ１スパンなど、クリア・チャネル・スパンを利用するシステムでは、ＩＶＢ＿ＳＩＧチャネルは、６４ｋｂｐｓのＰＣＭ音声タイムスロットからビット０すなわちｂ０をビット・スティーリングすることによって、圧縮音声内で実装される。以下の表Ｉを参照して、このタイムスロットのビットｂ７〜ｂ０は、それぞれＰＣＭ音声サンプル・ビットｐ７〜ｐ０を含む。ＩＶＢ＿ＳＩＧチャネルは、１１番目のサンプル毎（すなわち、現期間について１１番目のフレーム毎）にビット０すなわちｂ０を盗み、これをＩＶＢ＿ＳＩＧビットｓ０と置換する。
【００１６】
【表１】
0004271862.tif 000002
【００１７】
ボコーダ・バイパス動作モードにおいて、ＩＶＢ＿ＳＰＥＥＣＨチャネルは、以下の表ＩＩに示すように、ＰＣＭ音声ビットｐ１およびｐ０を上書きすることによって、６４ｋｂｐｓのＰＣＭ音声タイムスロットのビット１およびビット０、すなわちｂ１およびｂ０において伝達される。表ＩＩからわかるように、ボコーダ・バイパス動作モード中に、ビット１およびビット０はＩＶＢ＿ＳＰＥＥＣＨチャネルを含み、ビット７〜ビット２は圧縮６４ｋｂｐｓＰＣＭ音声サンプルの最上位ビット（ＭＳＢｓ）ｐ７〜ｐ２を含む。
【００１８】
【表２】
0004271862.tif 000003
【００１９】
５６Ｋ  Ｔ１スパンなど、非クリア・チャネル・スパンを利用するシステムでは、帯域内シグナリング・プロトコルおよび符号化音声フレームは、好ましくはクリア・チャネル・スパンと同じように伝達されるが、ただし唯一の相違点は、帯域内シグナリングを伝達するために第２ビット位置（ｂ１）が好ましくは用いられ、また符号化音声フレームを伝達するために第３ビット位置および第２ビット位置、すなわちｂ２およびｂ１がそれぞれ用いられることである（表ＩＩＩおよび表ＩＶを参照）。ビット位置のずれは、６番目のフレーム毎に最下位ビット（ｂ０）を盗むＴ１シグナリングとの競合を避けるために必要である。
【００２０】
【表３】
0004271862.tif 000004
【００２１】
【表４】
0004271862.tif 000005
【００２２】
説明するように、これらのシグナリング・チャネルを設けることで、システム複雑さの低下および遷移時間の短縮という予想外の結果が得られる。さらに、各シグナリング・チャネル・プロトコルは、ボコーダ・バイパス動作モードの設定中に音声品質への影響を低減し、ボコーダ・バイパス動作モードの高速な確立を行い、さらにタンデム・ボコーダ動作からの高速な復元およびタンデム・ボコーダ動作への遷移を行うように構成される。
【００２３】
ボコーダ・バイパス動作モードは、帯域外システム制御メッセージによってイネーブルされる。ディフォルトでは、帯域内シグナリング機構はディセーブルされる。その結果、ＭＳＣが帯域外メッセージを介して帯域内シグナリング機構をイネーブルしない限り、ボコーダ・バイパス・モードは確立できない。帯域外メッセージングは、帯域内シグナリングをイネーブル／ディセーブルするために用いられる。これは、条件が確実なボコーダ・バイパス動作にとって都合がよくない場合に、ボコーダ・バイパス・モードに入ることに対する防御となる。例えば、三者会議中や、エコー・キャンセルをサポートすることがわかっているトランク上で呼が中継される場合には、ボコーダ・バイパス動作は望ましくない。一般に、帯域外制御は、呼設定中にのみ必要とされる。さらに、ボコーダ・バイパス・モードの制御は帯域内シグナリング手順に依存する。
【００２４】
帯域外メッセージングを介してボコーダ・バイパス・モードをイネーブルすることはＩＶＢ＿ＳＩＧチャネルを初期化し、次にこのチャネルは移動体から移動体への回線の帯域内検出のための「ビーコン(beacon)」として送信され、音声フレーム・タイミング規準を与える。ＩＶＢ＿ＳＩＧは、相手当事者とのサービス・オプション情報の交換を可能にする十分長いあらかじめ設定された期間で送信される。また、ＩＶＢ＿ＳＩＧチャネルは、呼の期間中にサービス・オプションが変更した場合や、あるいは相手当事者との符号化音声同期が失われる度に送信される。
【００２５】
ＩＶＢ＿ＳＰＥＥＣＨチャネルは、好ましくはボコーダ・バイパス動作モード中にのみ送信される。ＩＶＢ＿ＳＩＧチャネルはＩＶＢ＿ＳＰＥＥＣＨとＤＳ０ビットを共有するので、ＩＶＢ＿ＳＩＧシグナリングは、好ましくはボコーダ・バイパス・モードのときはいつでもオフされる。ボコーダ・バイパス・モード中は、通常はＩＶＢ＿ＳＩＧを介して伝達されるボコーダ・タイプ情報は、このときＩＶＢ＿ＳＰＥＥＣＨチャネルを介して伝達される。
【００２６】
ＩＶＢ＿ＳＩＧチャネルで送信されるデータは、複数のロング・コードワードのうちの一つである。ロング・コードワードは、ＩＶＢ＿ＳＩＧチャネルを受信機に確実に同期させ、かつ適度な偽保護(falsing protection)を与えるために、ＩＶＢ＿ＳＩＧチャネル上で送信される。表IＶは、名称および関連する意味毎の好適なコードワードの例を示す。もちろん、有効なコードワード・ビットの数について、適切な１６進数値を採用することは当業者の技術の範囲内である。
【００２７】
【表５】
0004271862.tif 000006
【００２８】
動作時に、受信側ＢＳＣは、図２および図３を参照して以下でさらに詳しく説明するＩＶＢ＿ＳＩＧチャネル受信機を利用して、ＩＶＢ＿ＳＩＧロング・コードワードを検出・復号する。送信側ＢＳＣは、ＩＶＢ＿ＳＩＧコードワードおよびＩＶＢ＿ＳＩＧチャネルを生成・フォーマットしなければならない。図４を参照して以下で説明するＩＶＢ状態マシンは、ボコーダ・バイパス動作に対する遷移を制御する。
【００２９】
図２を参照して、ボコーダ２００は、前述の要素の他に、ＩＶＢ＿ＳＩＧチャネル発生器２１２，マルチプレクサ２１６，制御２１８，ＩＶＢ＿ＳＩＧチャネル受信機２２０，ＩＶＢ＿ＳＰＥＥＣＨ受信機２２２，デマルチプレクサ２２４およびスプライサ(splicer)２２６を含む。また、スイッチ２１７およびスイッチ２２７も設けられ、これらは帯域外ＩＶＢイネーブル・メッセージに応答して、バイパス・ボコーダ動作をイネーブルする。さらに具体的には、スイッチ２１７はＩＶＢ＿ＳＩＧ発生器２１２をアップリンク回線に結合し、その出力はマルチプレクサ２１６によって圧縮音声と多重化される。  ＣＬＲ＿ＣＨＡＮＮＥＬ信号がＴＲＵＥ場合、すなわち、Ｅ１スパンである場合、この時点でのマルチプレクサ２１６の出力は、圧縮音声のビット０すなわちｂ０におけるＩＶＢ＿ＳＩＧチャネル信号であり、ビット７〜１は圧縮音声を含んでいる。ＣＬＲ＿ＣＨＡＮＮＥＬ信号がＦＡＬＳＥの場合、すなわち、５６Ｋ  Ｔ１スパンである場合、この時点でのマルチプレクサ２１６の出力は、圧縮音声のビット１すなわちｂ１におけるＩＶＢ＿ＳＩＧチャネルであり、残りのビットは圧縮音声を含んでいる。
【００３０】
ＩＶＢ＿ＳＩＧ発生器２１２は、制御２１８からのコードワード選択信号に応答して、適正コードワード(correct codeword)を生成する。バイパス動作モードでは、スイッチ２１５は、コードワードの一致、すなわち、ボコーダが同じタイプであることを示す制御２１８からの信号に応答して、符号化音声（ＩＶＢ＿ＳＰＥＥＣＨ）をマルチプレクサ２１６に結合する。
【００３１】
ＰＣＭサンプルの最大２ビットは、ＩＶＢ＿ＳＩＧチャネルまたはＩＶＢ＿ＳＰＥＥＣＨチャネルを含むために上書きできる。ＣＬＲ＿ＣＨＡＮＮＥＬがＴＲＵＥで、ＩＶＢがイネーブルされている場合、ＩＶＢ＿ＳＩＧチャネルは条件的に存在し、ＰＣＭ音声のビット０、すなわちｂ０は、８０００／Ｎsのレート、すなわちＮs＝１１として７２７ビット／秒（ｂｐｓ）ビット・スティーリングにて、ＩＶＢ＿ＳＩＧビットｓ０で上書きされる。値Ｎs＝１１は好ましく、適切な誤り訂正を確保するために選択されるが、Ｎsの他の適切な値も本発明の公正な範囲から逸脱せずに選択できることが理解されよう。バイパス動作モードが実際に開始されるまで、６４ｋｂｐｓのＰＣＭ音声タイムスロットのビット１およびビット０は依然としてＰＣＭ音声を含んでいる。ボコーダ・バイパス動作時に、ビット１およびビット０は、１６ｋｂｐｓ（サンプル毎）のレートにて符号化圧縮音声ビットで上書きされ、ＩＶＢ＿ＳＩＧを置換する（すなわち、オフされる）。
【００３２】
ＣＬＲ＿ＣＨＡＮＮＥＬがＦＡＬＳＥで、ＩＶＢがイネーブルされている場合、ＩＶＢ＿ＳＩＧチャネルは条件的に存在し、ＰＣＭ音声のビット１、すなわちｂ１は、８０００／Ｎsのレート、すなわちＮs＝１１として７２７ビット／秒（ｂｐｓ）ビット・スティーリングにて、ＩＶＢ＿ＳＩＧビットｓ１で上書きされる。値Ｎs＝１１は好ましく、適切な誤り訂正を確保するために選択されるが、Ｎsの他の適切な値も本発明の公正な範囲から逸脱せずに選択できることが理解されよう。バイパス動作モードが実際に開始されるまで、６４ｋｂｐｓのＰＣＭ音声タイムスロットのビット２およびビット１は依然としてＰＣＭ音声を含んでいる。ボコーダ・バイパス動作時に、ビット２およびビット１は、１６ｋｂｐｓ（サンプル毎）のレートにて符号化圧縮音声ビットで上書きされ、ＩＶＢ＿ＳＩＧを置換する（すなわち、オフされる）。
【００３３】
以下の説明については、ＣＬＲ＿ＣＨＡＮＮＥＬがＴＲＵＥであると想定する。なお、ＣＬＲ＿ＣＨＡＮＮＥＬがＦＡＬＳＥの場合でも同じ処理を利用できるが、上記のずれと同様なビット位置のずれが生じる。留意したように、ＩＶＢ＿ＳＩＧチャネルは帯域外制御メッセージ（または他のイベント）によって初期化され、ＩＶＢ＿ＳＰＥＥＣＨは「ＣＯＤＥＣ  ＭＡＴＣＨ  ＳＴＡＴ」信号に基づいて初期化される。ＣＯＤＥＣ  ＭＡＴＣＨ  ＳＴＡＴ信号は、ＩＶＢ＿ＳＩＧチャネル・ロング・コードワードまたは受信ＩＶＢ＿ＳＰＥＥＣＨの検出に成功し、かつ各移動体のボコーダが一致することを判定することに応答して、ダウンリンク側で生成される。
【００３４】
ダウンリンクでは、ＩＶＢをイネーブルすると、デマルチプレクサ２２４，ＩＶＢ＿ＳＰＥＥＣＨ＿ＲＣＶＲ２２２およびスプライサ２２６は、ダウンリンク回線に結合される。続いて図２を参照して、６４ｋｂｐｓのＰＣＭ圧縮音声はデマルチプレクサ２２４に入力され、このデマルチプレクサ２２４は以降の処理のために８ｋｂｐｓストリーム（ビット０，ｂ０）と、１６ｋｂｐｓストリーム（ビット１およびビット０、すなわちｂ１およびｂ０）を出力する。ＩＶＢ＿ＳＩＧ受信機２２０は、８ｋｂｐｓストリーム内でサブレート７２７ｂｐｓコードワードの開始を探索して、これに同期し、制御２１８への入力のためにコードワードを復号する。制御２１８は受信したコードワード、ひいてはコードワードによって識別されるボコーダ・タイプを比較して、ＣＯＤＥＣ  ＭＡＴＣＨ  ＳＴＡＴ信号を生成する。
【００３５】
図３を参照して、ＩＶＢ＿ＳＩＧチャネル受信機２２０は、サブ・サブレート・デマルチプレクサ２２８と、同期サーチャ(synchronization searcher)２３０とを含む。８ｋｂｐｓサブレート・ストリーム（圧縮音声のビット０）は、サブ・サブレート・デマルチプレクサ２２８に入力され、このデマルチプレクサ２２８はＮs（Ｎs＝１１），８０００／Ｎs＝７２７ｂｐｓストリームに分解し、その任意の一つはＩＶＢ＿ＳＩＧチャネルを含んでもよい。各チャネルは、Ｎcw＝３コードワードの一つの存在について探索される。出力は、コードワードが見つかり（ＩＶＢ＿ＳＩＧ＿ＳＹＮＣ＿ＳＴＡＴ）、ボコーダ・タイプがコードワードによって識別されたかどうかを示す制御信号であり、これは制御２１８に通信される。
【００３６】
再度図２を参照して、スイッチ２０９はＩＶＢ＿ＳＩＧ  ＳＹＮＣ  ＳＴＡＴ制御信号の検出に応答して、エコー・キャンセラ２０８をダウンリンク回線から切断し、ダウンリンク拡張ＰＣＭ音声を音声エンコーダに直接結合する。ＩＶＢ＿ＳＰＥＥＣＨ＿ＲＥＶＲ２２２は、ＣＯＤＥＣ  ＭＡＴＣＨ  ＳＴＡＴ信号を受信すると、スプライサ２２６への１６ｋｂｐｓ符号化音声と、符号化音声（ＥＣＶ）ＳＹＮＣ  ＳＡＴ信号とを送信する。スプライサ２２６は、符号化音声ＳＹＮＣ  ＳＴＡＴに応答して、ＩＶＢ＿ＳＰＥＥＣＨ＿ＲＣＶＲ２２２または音声エンコーダ２１０のいずれかから同期符号化音声を、ダウンリンクにてＢＴＳに与える。
【００３７】
スプライサ２２６は、ある回線から別の回線、例えば、ＰＣＭからバイパスへのスイッチングのタイミングを調整することによって、符号化ＰＣＭフレームからバイパス符号化フレームへ、またはパイパス符号化フレームから符号化ＰＣＭへのシームレスな遷移を行う。スプライサの効果は、音声ホール(audio holes)，クリック音(clicks)およびその他の歪などの可聴スイッチング・アーチファクト(audible switching artifacts)を除去することである。ＯＵＴＰＵＴ＿ＲＥＱＵＩＲＥＤ＿ＢＹタイミング信号は、制御プロセッサ２２８からスプライサ２２６および音声エンコーダ２１０のそれぞれに与えられ、開始信号となる。実際に、スプライサ２２６は分散型関数(distributed function)として機能し、その一部は音声エンコーダ２１０より前に実行し、そのため音声エンコーダ２１０からの出力を遮断でき、またＩＶＢ＿ＳＰＣＨ＿ＲＣＶＲ２２２出力においてスイッチングできる。タイミングは、音声エンコーダ２１０が前回の符号化音声フレームの送信をちょうど完了して、現符号化音声フレームの出力を開始していないタイミングである。従って、バイパス符号化音声フレームはシームレスにスイッチングされる。なお、バイパス符号化音声フレームは、部分的には、スプライサ２２６が機能するためにＩＶＢ＿ＳＰＣＨ＿ＲＣＶＲ２２２およびスプライサ２２６において必要とされるバッファを促進するために、最小限の遅延で送信される。
【００３８】
理解されるように、本発明では、ＩＶＢチャネルによって占有されていないビットにて、圧縮６４ｋｂｐｓＰＣＭ音声を連続的に送信する。さらに、本発明は、音声データの通常の音声処理を行う。これは、ボコーダ通常動作に戻る際に、各フィルタの応答時間を短縮する。また、常に圧縮６４ｋｂｐｓＰＣＭ音声を送信することは、たとえバイパス回線出力が誤って受信側の音声エンコーダを通過しても、すなわち、ｐ７〜ｐ２が圧縮音声データを含んでいても、音声品質に及ぼす影響を最小限に抑える。
【００３９】
また、スプライサ２２６は、符号化音声出力からバイパス符号化音声出力に、またバイパス符号化音声出力から符号化音声出力に遷移する際に、フル・レートから１／８レート・フレームへの遷移に対して保護する。これは、直前のフレーム、すなわちフレームｎ−１上で非フル・レート・フレームが送信されるのを待ってから、現フレームｎを送信するために新規モードにスイッチング、すなわちボコーダ・バイパス動作モードから通常動作モード、もしくは通常動作モードからボコーダ・バイパス動作モードにスイッチングすることにより、達成される。モードｘ（バイパスまたは通常）にて送信されたフレームｎ−１がフル・レートである場合、フレームｎは、以下の場合を除いて、モードｙ（バイパスまたは通常とは別）にて送信されない。モードｙから遷移しようとする際に、モードｘにて送信された連続フル・レート・フレームの数に関するカウンタは初期化され、各フル・レート・フレーム毎にインクリメントされる。このカウントが閾値、例えば、閾値１０を超えると、新規モードへのスイッチングが行われ、新規モードにて利用可能な現フレームは送信され、新規モードに入る。
【００４０】
図４を参照して、図示の状態図４００の観点からボコーダ２００の動作について説明する。図４は、機構がトランスコーダ制御要求(Transcoder Control Request)などにより帯域外シグナリングを介してイネーブルされるときに実行される帯域内シグナリング・プロトコルを示す。
【００４１】
［ＡＮＮＯＵＮＣＥ］状態３０２では、現ローカル・ボコーダ・タイプに相当するＡＮＮ＿ＩＶＢコードワード（以下では、「適正ＡＮＮ＿ＩＶＢコードワード」という）は、ＩＶＢ＿ＳＩＧ送信チャネル上で送信され、かつＩＶＢ＿ＳＩＧ受信チャネルにて探索される。さらに、現ローカル・ボコーダ・タイプに等しいボコーダ・タイプ（以下では、「適正ボコーダ・タイプ」という）の符号化音声は、ＩＶＢ＿ＳＰＥＥＣＨ受信チャネルにて探索される。システムは、適正ＡＮＮ＿ＩＶＢコードワードが受信されるか、あるいは適正ボコーダ・タイプの符号化音声が受信されるか、あるいは通常２．５秒の時間期間が経過するか、あるいは帯域内シグナリング状態マシンが外部から受信した制御メッセージを介してディセーブルされるまで、この状態のままである、すなわち、ＡＮＮ＿ＩＶＢコードワードの送信および探索、ならびに適正ボコーダ・タイプの符号化音声の探索のプロセスを継続する。
【００４２】
ＩＶＢ＿ＳＩＧチャネルにて適正ＡＮＮ＿ＩＶＢコードワードを受信する場合、次の状態は［ＴＲＡＮＳＭＩＴ］３０４である。ＩＶＢ＿ＳＰＥＥＣＨチャネルにて適正ボコーダ・タイプの符号化音声を受信する場合、次の状態は［ＣＯＮＮＥＣＴ］３０５である。時間期間が経過する場合、次の状態は［ＭＯＮＩＴＯＲ］３０３である。「ディセーブル」制御メッセージを受信する場合、次の状態は［ＤＩＳＡＢＬＥＤ］３０１である。すべての場合において、ＩＶＢ＿ＳＩＧ送信チャネル上でＡＮＮ＿ＩＶＢコードワードの送信は、［ＡＮＮＯＵＮＣＥ］３０２状態を抜ける時点で中止する。すなわち、ＩＶＢ＿ＳＩＧ送信チャネルはいずれの他の状態においてアクティブでない。
【００４３】
［ＴＲＡＮＳＭＩＴ］状態３０４では、移動体から受信した符号化音声はＩＶＢ＿ＳＰＥＥＣＨ送信チャネル上で送信され、適正ボコーダ・タイプの符号化音声はＩＶＢ＿ＳＰＥＥＣＨ受信チャネルにて探索される。システムは、適正ボコーダ・タイプの符号化音声がＩＶＢ＿ＳＰＥＥＣＨ受信チャネルにて受信されるか、あるいは通常８０ｍｓの時間期間が経過するまで、この状態のままである、すなわち、上記のように符号化音声を送信および探索するプロセスを継続する。前者の場合、次の状態は［ＣＯＮＮＥＣＴ］３０５であり、後者の場合、次の状態は［ＡＮＮＯＵＮＣＥ］３０２である。
【００４４】
［ＭＯＮＩＴＯＲ］状態３０３では、適正ＡＮＮ＿ＩＶＢコードワードを探索することによって、ＩＶＢ＿ＳＩＧ受信チャネルは監視される。システムは、現ローカル・ボコーダ・タイプが変更するか、帯域内シグナリング状態マシンが外部から受信した制御メッセージを介して再開もしくはディセーブルされるか、あるいは適正ＡＮＮ＿ＩＶＢコードワードがＩＶＢ＿ＳＩＧ受信チャネル上で受信されるまで、この状態のままである。ローカル・ボコーダ・タイプが変更するか、あるいは状態マシンが外部からの制御メッセージを介して再開する場合、次の状態は［ＡＮＮＯＵＮＣＥ］３０２である。ＩＶＢ＿ＳＩＧチャネルにて適正ＡＮＮ＿ＩＶＢコードワードを受信する場合、次の状態は［ＴＲＡＮＳＭＩＴ］３０４である。状態マシンが外部からの制御メッセージを介してディセーブルされる場合、次の状態は［ＤＩＳＡＢＬＥＤ］３０１である。
【００４５】
「ＣＯＮＮＥＣＴ］状態３０５では、移動体から受信した符号化音声はＩＶＢ＿ＳＰＥＥＣＨ送信チャネル上で送信され、ＩＶＢ＿ＳＰＥＥＣＨ受信チャネルにて受信した適正ボコーダ・タイプの符号化音声は、移動体に送信するために再構築される。システムは、不適正ボコーダ・タイプの符号化音声がＩＶＢ＿ＳＰＥＥＣＨ受信チャネル上で受信されるか、ＩＶＢ＿ＳＰＥＥＣＨ受信チャネル上で符号化音声への同期が失われるか、現ローカル・ボコーダ・タイプが変更するか、あるいは状態マシンをディセーブルする制御メッセージが外部から受信されるまで、この状態のままである、すなわち、ＩＶＢ＿ＳＰＥＥＣＨ送信チャネル上で符号化音声を送信し、ＩＶＢ＿ＳＰＥＥＣＨ受信チャネルにて符号化音声を受信し、受信した符号化音声を移動体に転送するプロセスを継続する。ＩＶＢ＿ＳＰＥＥＣＨ受信チャネル上で不適正ボコーダ・タイプの符号化音声を受信するか、あるいはＩＶＢ＿ＳＰＥＥＣＨ受信チャネル上で符号化音声への同期を失う場合、次の状態は［ＡＮＮＯＵＮＣＥ］３０２である。ローカル・ボコーダ・タイプが変更する場合、次の状態は［ＴＲＡＮＳＩＴＩＯＮ］３０６である。状態マシンをディセーブルする制御メッセージを受信する場合、次の状態は［ＤＩＳＣＯＮＮＥＣＴ］３０７である。
【００４６】
［ＴＲＡＮＳＩＴＩＯＮ］状態３０６では、ＩＶＢ＿ＳＰＥＥＣＨ受信チャネルにて受信した適正ボコーダ・タイプの符号化音声は移動体に送信するために再構築される。システムは、ＩＶＢ＿ＳＰＥＥＣＨ受信チャネル上での符号化音声に対する同期の損失が生じるまで、この状態のままであり、この同期の損失が生じると、次の状態は［ＡＮＮＯＵＮＣＥ］３０２である。
【００４７】
［ＤＩＳＣＯＮＮＥＣＴ］状態３０７では、ＩＶＢ＿ＳＰＥＥＣＨ受信チャネルにて受信した適正ボコーダ・タイプの符号化音声は移動体に送信するために再構築される。システムは、ＩＶＢ＿ＳＰＥＥＣＨ受信チャネル上での符号化音声に対する同期の損失が生じるまで、この状態のままであり、この同期の損失が生じると、次の状態は［ＤＩＳＡＢＬＥＤ］３０１である。
【００４８】
ここで図５を参照して、本発明の別の好適な実施例に従って、ボコーダ・バイパス動作モードを識別・制御するために、３つのシグナリング・チャネルが設けられる。この別の実施例の２つの特徴は、同期シグナリングの初期探索での複雑さの低減およびそれに関連する処理オーバヘッドの低減と、例えばエコー・キャンセラなど他の呼処理機能との整合性の向上である。
【００４９】
シグナリング・チャネルの一方であるＩＶＢ＿ＳＹＮＣは、移動体から移動体への通信を識別し、これらの移動体がボコーダ・バイパスに対処できることを識別するために用いられる。ＩＶＢをイネーブルすると、ＩＶＢ＿ＳＹＮＣチャネルは、７２７ｂｐｓ（例えば、１：１１ビット・スティーリング）にて、６４ｋｂｐｓのＰＣＭ音声タイムスロットのビット０、すなわちｂ０における一つの反復ビット・パターンを連続的に送信する。このビット・パターンは、ビット・エラーおよび腐敗の影響を受けにくいように十分長いが、高速な検出を行うように十分短く選択される。２９または３０ビット・パターンが現在好ましいが、他のビット・パターン長も本発明の公正な範囲から逸脱せずに利用できることが理解されよう。ＩＶＢ＿ＳＩＧとは異なり、ＩＶＢ＿ＳＹＮＣはボコーダ・タイプ情報を含まない。従って、初期検出オーバヘッドははるかに低い。さらに説明するように、ＩＶＢ＿ＳＹＮＣチャネルは、第２のシグナリング・チャネル、すなわちＩＶＢ＿ＭＳＧチャネルを分離(demultiplexing)する際にも用いられる。
【００５０】
ＩＶＢ＿ＭＳＧチャネルは、ボコーダ・タイプ情報を伝達するために用いられる。また、ＩＶＢ＿ＭＳＧチャネルは、好適なレート７２７ｂｐｓにてビット・スティーリング（１：１１ビット・スティーリング）を利用して送信される。ＩＶＢ＿ＳＹＮＣチャネルとは異なり、ＩＶＢ＿ＭＳＧは連続的に送信されない。以下で説明するように、ボコーダ・タイプ識別を与え、ボコーダ・タイプの変更のニゴシエーションにて用いるために、適切な時間にて、ＩＶＢ＿ＭＳＧチャネルは生成され、送信される。従って、ＩＶＢ＿ＭＳＧチャネルの好適な実施例では、ビット１すなわちｂ１を第３チャネルであるＩＶＢ＿ＳＰＥＥＣＨと共有する。
【００５１】
例えば、高音声アクティビティ中および沈黙期間(quiet period)中に、全体的な音声品質に対する影響をさらに低減するため、ＩＶＢ＿ＭＳＧチャネルは、システムに応じて、高音声アクティビティまたは低音声アクティビティの期間に調和させることができる。例えば、ＰＣＭ音声に対する可聴影響を低減するために、低音声アクティビティの期間中に送信されるようにＩＶＢ＿ＭＳＧチャネルを調和することが望ましいことがある。しかし、ビット・スティーリングによって生じた雑音が過剰であり、および／または過度に望ましくない場合には、「マスキング効果(masking effect)」により音声品質に対する影響が不快にならない高音声アクティビティの期間に、ＩＶＢ＿ＭＳＧチャネルを調和させることが可能である。
【００５２】
ＩＶＢ＿ＳＰＥＥＣＨチャネルは上記のように実装され、６４ｋｂｐｓのＰＣＭ音声タイムスロットのビット１およびビット０、すなわちｂ１およびｂ０において１６ｋｂｐｓレートにてビットを盗む。ＩＶＢ＿ＭＳＧチャネルとＩＶＢ＿ＳＰＥＥＣＨチャネルとの間でビット１、すなわちｂ１を共有することにより、ＰＣＭ音声に対する、および／または低音声アクティビティの沈黙期間に対する影響はほぼ解消される。
【００５３】
図５を参照して、最初に、ＩＶＢは、ＯＦＦ状態５０１によって表されるように、イネーブルされない。ＯＦＦ状態５０１は、帯域外ＩＶＢディセーブル信号および／または通信システム１００の初期化に基づいて入る。ＯＦＦ状態５０１では、アップリンク６４ｋｂｐｓＰＣＭ音声にて送信されたり、あるいはダウンリンク６４ｋｂｐｓＰＣＭ音声にて探索／追跡されるＩＶＢ情報はない。ＯＦＦ状態では、通常ボコーダ動作が行われる。
【００５４】
イネーブルされると、ＳＹＮＣ＿Ｍ２Ｍ（同期移動体対移動体回線）状態５０２に入る。ＳＹＮＣ＿Ｍ２Ｍ状態５０２では、ＩＶＢ＿ＳＹＮＣ送信機（図２に示すＩＶＢ＿ＳＩＧ発生器２０２と同様）は、厳密に４０ｍｓ毎に開始して（すなわち、３２０番目のＰＣＭサンプル毎に開始して）、そのためＰＣＭサンプルの一つおきの符号化音声フレームの開始に厳密に同期して、ＩＶＢ＿ＳＹＮＣコードワードを送信する。これは、ＩＶＢ同期受信機（ＩＶＢ＿ＲＣＶＲ２２０と同様）におけるＩＶＢ＿ＭＳＧチャネルの検出および分離を促進するために行われる。ＩＶＢ＿ＭＳＧチャネルは、ＩＶＢ＿ＳＹＮＣチャネルに同期して送信される。ＩＶＢ＿ＳＹＮＣコードワードは、対応する時間期間中にＩＶＢ＿ＭＳＧチャネル・ビットが存在することを受信機に通知するために反転される。ＩＶＢ＿ＳＹＮＣコードワード・ビットは、ハーフ・コードワード単位で反転できる。例えば、Ｎcb＝２９の場合、最初の１５コードワード・ビットは反転でき、残りの１４コードワード・ビットはそのまま残すことができる。あるいは、最初の１５コードワード・ビットはそのまま残し、残りの１４コードワード・ビットを反転できる。これにより、ＩＶＢ＿ＭＳＧチャネルは２０ｍｓ単位でアクティブにすることができる。受信機はさまざまなコードワード反転を探索し、これらの反転は、１）反転ビットなし、つまりＩＶＢ＿ＭＳＧチャネルは存在しない，２）最初の１５ビットが反転、つまりＩＶＢ＿ＭＳＧチャネルは最初の２０ｍｓ期間に存在する，３）次の１４ビットが反転、つまりＩＶＢ＿ＭＳＧチャネルは次の２０ｍｓ期間に存在する、および４）２９ビットすべてが反転、すなわち２つの連続したＩＶＢ＿ＭＳＧチャネルが存在する、を表すことができる。さらに、ＩＶＢ＿ＳＹＮＣチャネル受信機は、４０ｍｓ毎にタイミングを調整して、コードワード期間（３２０）に対するビット・スティール期間（１１）の非整数分母関係を考慮する。
【００５５】
非反転ＩＶＢ＿ＳＹＮＣパターンが検出されると、ＳＹＮＣ＿Ｍ２Ｍ状態を抜け、ＩＤＥＮＴＩＦＹ／ＮＥＧＯＴＩＡＴＥ状態５０３に入る。ＩＤＥＮＴＩＦＹ／ＮＥＧＯＴＩＡＴＥ状態５０３では、ボコーダ情報はＩＶＢ＿ＭＳＧチャネルにて通信される。ＩＤＥＮＴＩＦＹ／ＮＥＧＯＴＩＡＴＥ状態５０３は、ＩＶＢ＿ＭＳＧチャネル上で一致ボコーダ・タイプ情報が受信されるまで維持される。任意で、最初に不一致ボコーダ・タイプの場合には、ＩＶＢ＿ＭＳＧチャネルを利用して、ボコーダ・タイプをニゴシエーションすることができる。ニゴシエーションは上記のような手順でもよく、あるいは「暗示的なルール・データベース(implied rule database)」解決を行うために、ＩＶＢ＿ＭＳＧチャネル上でボコーダ・タイプ情報を与えてもよい。一致ボコーダ・タイプ情報が受信されると、ＳＹＮＣ＿ＳＰＣＨ状態５０４に入る。
【００５６】
ＳＹＮＣ＿ＳＰＣＨ状態５０４では、符号化音声がＩＶＢ＿ＳＰＥＥＣＨチャネルにて送信される。また、符号化音声はダウンリンクＰＣＭ音声において探索される。ＩＶＢ＿ＳＹＮＣおよびＩＶＢ＿ＭＳＧチャネルは、ボコーダ・タイプ変更が要求されたり、および／またはバイパス動作モードをディセーブルしなければならない場合に備えて、依然として監視される。ＳＹＮＣ＿ＳＰＣＨ状態５０４では、ボコーダは実行し続け、復号された音声出力をアップリンクＰＣＭ音声に供給し、符号化されたＰＣＭ音声をダウンリンクに供給する。
【００５７】
符号化音声への同期が得られると、ＣＯＮＮＥＣＴ状態５０５に入る。ＣＯＮＮＥＣＴ状態５０５では、ＩＶＢ回線は完了し、バイパス符号化音声は移動体間で通信される。ボコーダは、ボコーダ・バイパスと並列して実行し続け、バイパス・ディセーブル（通常ボコーディング）モードへのシームレスな復帰をサポートする。ＣＯＮＮＥＣＴ状態５０５は、バイパス符号化音声への同期が失われるか、帯域外ディセーブル・コマンドが受信されるか、ＩＶＢ＿ＳＹＮＣチャネルが失われるか、ＩＶＢ＿ＭＳＧチャネル上で不一致ボコーダ・タイプ情報が受信されるか、あるいは現ボコーダと整合性のない符号化音声フレームが受信されるまで、維持される。
【００５８】
ＣＯＮＮＥＣＴ状態５０５から、そしてディセーブル・コマンドを受信すると、ＤＩＳＣＯＮＮＥＣＴ状態５０６に入る。ＤＩＳＣＯＮＮＥＣＴ状態５０６では、すべてのアップリンクＩＶＢ送信処理は中断され、通常のボコーディングが回復される。受信された符号化音声のダウンリンク・バイパスは、依然としてサポートされる。この単方向の「半二重(half-duplex)」動作モードは、ダウンリンク符号化音声への同期が失われたり、あるいは他のＩＶＢ受信損失状態が生じるまで、維持される。
【００５９】
理解されるように、この別の好適な実施例は、ボコーダ・バイパス動作モードへの高速な遷移という利点を提供しつつ、検出オーバヘッドを低減する。さらに、上記の別の好適な実施例に従って実行するようにボコーダ２００を修正することは容易に達成されることが理解されよう。
【００６０】
本発明について特定の例の観点から説明してきたが、これは上記の説明に制限されるものではなく、むしろ特許請求の範囲に規定される範囲にのみ制限されるものとする。
【図面の簡単な説明】
【図１】  本発明の好適な実施例により動作可能なワイヤレス通信システムのブロック図である。
【図２】  本発明の好適な実施例によるボコーダ・バイパスのための装置のブロック図である。
【図３】  本発明の好適な実施例によるシグナリング受信機をさらに示すブロック図である。
【図４】  本発明の好適な実施例によるボコーダ・バイパスの方法を示す状態遷移図である。
【図５】  本発明の好適な実施例によるボコーダ・バイパスの方法の態様を示す状態遷移図である。
【図１】
0004271862.tif 000007
【図２】
0004271862.tif 000008
【図３】
0004271862.tif 000009
【図４】
0004271862.tif 000010
【図５】
0004271862.tif 000011